(57)【要約】      （修正有）【課題】ハンガーを包装袋の一部に嵩張らないようにして収納可能に設けることにより、該ハンガーを必要に応じて引き出す等により衣料品を吊垂して陳列展示できるようにした吊垂陳列可能な衣料用包装袋を提供する。【解決手段】一端に出し入れ口を、他端側に襠部３を形成した衣料用の包装袋Ｂにおいて、包装袋Ｂの襠部形成側外部にハンガーＨを収納する扁平袋状のハンガー収納部を一体に形成するとともに、このハンガー収納部に、ハンガー収納部内に収納したハンガーＨのフック部Ｈ１を引き出すためのフック部挿通孔６６を形成する。【選択図】図１
0003167374.tif 000002
【実用新案登録請求の範囲】
【請求項１】
一端に出し入れ口を、他端側に襠部を形成した衣料用の包装袋において、包装袋の襠部形成側外部にハンガーを収納できるようにした扁平袋状のハンガー収納部を一体に形成し、該ハンガー収納部内にハンガーのフック部を引き出し可能とした別設のハンガーを収納できるようにしたことを特徴とする吊垂陳列可能な衣料用包装袋。
【請求項２】
ハンガー収納部を、帯状のハンガー収納部形成片をその両端部の一部が重なるようにして扁平な袋状に折り曲げ、その一部を包装袋側と接着して一体として形成したことを特徴とする請求項１記載の吊垂陳列可能な衣料用包装袋。
【請求項３】
ハンガー収納部形成片に、ハンガーの基部を引き出し可能としたスリット状のフック部挿通孔を形成したことを特徴とする請求項１又は２記載の吊垂陳列可能な衣料用包装袋。
【考案の詳細な説明】
【技術分野】
【０００１】
本考案は、吊垂陳列可能な衣料用包装袋に関し、特に、ワイシャツ、スポーツシャツ等の衣料を包装する包装袋に、ハンガーを収納可能に設けて必要に応じて衣料品を吊垂して陳列展示できるようにした吊垂陳列可能な衣料用包装袋に関するものである。
【背景技術】
【０００２】
従来、ワイシャツ、スポーツシャツ等の衣料品は、陳列展示時に塵埃などにより衣料が汚れるのに防止するため透明な合成樹脂製の包装袋内に収納している。
このため、色違い、各種のサイズなど多数の衣料品を陳列する場合、陳列台上に複数枚を積み重ねるようにして陳列展示するため、顧客からしてみれば重積された衣料品の内、最上段のものはその内容を目視により簡易に確認することができるが、最上段から２段目以下は表面からは目視することができないので、重積され整理されている衣料品をひっくり返して下段側の衣料品を確認するようにしている。
【０００３】
ところで、包装袋に収納した衣料品を重積することなく、すべての衣料品の確認を目視にて行えるようにするために、吊垂して陳列展示するのがよい。
しかし、従来の包装袋では、これを吊垂するためのハンガーが付属していないので直接吊垂して陳列展示することができないという問題があった。
【０００４】
また、従来の包装袋にハンガーを取り付ければ、吊垂して陳列展示することができるが、この方法ではハンガーの取り付けに手数を要するとともに、ハンガー分だけ衣料品が嵩張るという問題があった。
【０００５】
また、特許文献１に開示されたものは、クリーニング後の衣料を収納する袋に針金製のハンガーを一体に取り付けている。しかし、この方法では包装袋の上部針金製のハンガーが突出しており、とても嵩張るとともに、衣料品を吊垂して陳列展示するには相応しくないという問題があった。
【先行技術文献】
【特許文献】
【０００６】
【特許文献１】特開平６−４０５４９号公報
【考案の概要】
【考案が解決しようとする課題】
【０００７】
本考案は、上記従来の衣料用包装袋の有する問題点に鑑み、ハンガーを包装袋の一部に嵩張らないようにして収納可能に設けることにより、該ハンガーを必要に応じて引き出す等により衣料品を吊垂して陳列展示できるようにした吊垂陳列可能な衣料用包装袋を提供することを目的とする。
【課題を解決するための手段】
【０００８】
また、上記目的を達成するため、吊垂陳列可能な衣料用包装袋は、一端に出し入れ口を、他端側に襠部を形成した衣料用の包装袋において、包装袋の襠部形成側外部にハンガーを収納できるようにした扁平袋状のハンガー収納部を一体に形成し、該ハンガー収納部内にハンガーのフック部を引き出し可能とした別設のハンガーを収納できるようにしたことを特徴とする。
【０００９】
この場合において、ハンガー収納部を、帯状のハンガー収納部形成片をその両端部の一部が重なるようにして扁平な袋状に折り曲げ、その一部を包装袋側と接着して一体として形成することができる。
ここで、本明細書（本考案）において、「接着」には、接着剤で接着を行うもののほか、熱又は溶剤によって接着（溶着）を行うものを含むものとする（以下、同じ。）。
【００１０】
また、ハンガー収納部形成片に、ハンガーの基部を引き出し可能としたスリット状のフック部挿通孔を形成することができる。
【考案の効果】
【００１１】
本考案の吊垂陳列可能な衣料用包装袋によれば、一端に出し入れ口を、他端側に襠部を形成した衣料用の包装袋において、包装袋の襠部形成側外部にハンガーを収納できるようにした扁平袋状のハンガー収納部を一体に形成し、該ハンガー収納部内にハンガーのフック部を引き出し可能とした別設のハンガーを収納できるように構成することにより、ハンガーを包装袋の一部に嵩張らないようにして収納可能に設けることができ、該ハンガーを必要に応じて容易に引き出すことにより衣料品を吊垂して陳列展示できるため、顧客が簡易に収納衣料品の確認を目視により簡易に、確実に行うことができる。
【００１２】
また、ハンガー収納部を、帯状のハンガー収納部形成片をその両端部の一部が重なるようにして扁平な袋状に折り曲げ、その一部を包装袋側と接着して一体として形成することにより、別設のハンガーを包装袋の外部から随時簡易に収納することができ、またハンガーのみが破損しても簡易に新しいものと交換することができる。
【００１３】
また、ハンガー収納部形成片に、ハンガーの基部を引き出し可能としたスリット状のフック部挿通孔を形成することにより、ハンガーの引き出しが簡易に、迅速に行うことができる。
【図面の簡単な説明】
【００１４】
【図１】本考案の吊垂陳列可能な衣料用包装袋の一実施例を示し、包装袋内に衣料品を収納した状態を示す正面図である。
【図２】衣料品収納前の裏面図である。
【図３】同側面図である。
【図４】ハンガーの正面図である。
【図５】ハンガーを収納袋内に収納した状態を示す拡大側断面図である。
【図６】吊垂陳列するため収納袋からハンガーを引き出した状態を示す拡大側断面図である。
【考案を実施するための形態】
【００１５】
以下、本考案の吊垂陳列可能な衣料用包装袋の実施の形態を、図面に基づいて説明する。
【００１６】
図１〜図６に、本考案の吊垂陳列可能な衣料用包装袋の一実施例を示す。
この衣料用包装袋は、一端側を開口してカッターシャツ等の折り畳んだ状態とした衣料品Ｓの出し入れを可能とし、かつ該開口部Ｏを閉じるように折り返し可能に蓋片８を連接した筒状袋の他端側に襠部３を一体に形成して構成する包装袋Ｂと、該包装袋Ｂの外側にハンガーＨを収納できるように形成したハンガー収納部Ａと、該ハンガー収納部Ａに収納するハンガーＨとより構成する。
【００１７】
この包装袋Ｂは、従来カッターシャツ等を収納して展示販売している衣料用包装袋と同様に合成樹脂製の筒状袋で、その表片１の一端に蓋片８を突設するようにして連接し、これを包装袋Ｂの裏片２に沿って折り返しできるようにし、開口部Ｏより所定の衣料品Ｓを収納した後、該蓋片８を折り返して包装袋Ｂの裏片２に接着（粘着剤による開封可能な接着）などにて妄りに開口しないようにするとともに、他端側にはカッターシャツの衿が収納できるよう襠部３を形成する。
【００１８】
ハンガー収納部Ａは、図５及び図６に示すように、帯状のハンガー収納部形成片をその両端部６２、６３の一部が重なるようにして扁平な袋状に折り曲げ、その裏面片６４の一部を包装袋Ｂの裏片２と接着部６５を介してして一体となるようにし、かつ扁平袋状としたハンガー収納部形成片の上部位置にて横方向にスリット状のフック部挿通孔６６を形成してハンガー収納部６を形成する。
この場合、ハンガー収納部６のフック部挿通孔６６の両側は、閉鎖部６７とし、後述のハンガーＨの基部Ｈ２を支持するようにする。
そして、本実施例においては、ハンガー収納部６の側縁６１を、包装袋Ｂの側縁Ｂ１を袋を形成するために接着する際に同時に接着するようにし、包装袋Ｂとハンガー収納部６の一体性を高めるようにしている。
【００１９】
ハンガーＨは、所要の強度を備えた厚紙や合成樹脂板にて形成するもので、その形状は特に限定されるものではないが、例えば、展示用のフックやバー（図示省略）に引っ掛けるように形成したフック部Ｈ１と扁平袋状としたハンガー収納部６内に収納され、かつ該ハンガーＨに掛かる荷重をハンガー収納部６を介して包装袋Ｂ側に伝えるようにしたフック部Ｈ１より幅広の基部Ｈ２とより構成し、このフック部Ｈ１を、図１及び図６に示すように、ハンガー収納部Ａよりスリット状のフック部挿通孔６６を経て外部に突出できるようにする。
したがって、フック部挿通孔６６の長さよりもハンガーＨの基部Ｈ２の長さを長く形成して、ハンガー収納部６のフック部挿通孔６６の両側に形成した閉鎖部６７によって支持されるようにする。
【００２０】
このように構成する吊垂陳列可能な衣料用包装袋は、その開口部Ｏより折り畳んだカッターシャツなどの衣料品Ｓを挿入し、蓋片８を折り返して包装袋Ｂの裏片２に接着（粘着剤による開封可能な接着）して閉口する。
この包装袋内に衣料品Ｓを挿入するとその衿部は本体部よりも厚さが増しているため、この衿部の厚さにより包装袋Ｂの襠部３は自然と膨らむようになってしっくり包装袋内に収納される。
なお、この場合、ハンガーＨは、図３及び図５に示すように、ハンガー収納部Ａに収められているので、従来の衣料用包装袋と同じ形態となっている。
したがって、これを複数段に積み重ねても従来品と同じように嵩低くなるようにすることができる。
【００２１】
これを図１及び図６に示すように、包装袋Ｂ内に収納した状態で、かつ顧客からすべての商品が目視にて識別できるようにするため、吊垂して展示陳列することができる。この場合は、他のハンガー等を用いることなく、予めハンガー収納部Ａ内に収納されているハンガーＨを、詳しくはハンガーＨのフック部Ｈ１をスリット状のフック部挿通孔６６より外部へ引き出すようにする。
このとき、ハンガーＨの基部Ｈ２は、図１に示すように、ハンガー収納部Ａ内に収納された状態となり、ハンガー収納部６のフック部挿通孔６６の両側に形成した閉鎖部６７によって支持されるようにする。
【００２２】
したがって、このハンガーＨのフック部Ｈ１を展示用のフックやバー（図示省略）に引っ掛けることですべての包装袋が、外部から目視にて容易に確認することができるように吊垂展示が可能となる。
また、包装袋を開けることなく展示できるので、塵埃が包装袋内に侵入することがないので商品を汚すことがない。
なお、この実施例においては、包装袋ＢとハンガーＨとを個別に保管し、必要に応じて組み合わせるようにすることも可能である。
【００２３】
以上、本考案の吊垂陳列可能な衣料用包装袋について、その実施例に基づいて説明したが、本考案は上記実施例に記載した構成に限定されるものではなく、その趣旨を逸脱しない範囲において適宜その構成を変更することができるものである。
【産業上の利用可能性】
【００２４】
本考案の吊垂陳列可能な衣料用包装袋は、ハンガーを包装袋の一部に嵩張らないようにして収納可能に設けることにより、該ハンガーを必要に応じて引き出す等により衣料品を吊垂して陳列展示できるという特性を有していることから、ワイシャツ等の衣料品の吊垂陳列の用途に好適に用いることができるほか、例えば、嵩低い平板状商品の展示用の用途にも用いることができる。
【符号の説明】
【００２５】
Ａ    ハンガー収納部
Ｂ    包装袋
Ｂ１  側縁
Ｏ    開口部
Ｓ    衣料品
Ｈ    ハンガー
Ｈ１  フック部
Ｈ２  基部
１    表片
２    裏片
３    襠部
６    ハンガー収納部
６１  側縁
６２  端部
６３  端部
６４  裏面片
６５  接着部
６６  フック部挿通孔
６７  閉鎖部
８    蓋片
【図１】
0003167374.tif 000003
【図２】
0003167374.tif 000004
【図３】
0003167374.tif 000005
【図４】
0003167374.tif 000006
【図５】
0003167374.tif 000007
【図６】
0003167374.tif 000008
【手続補正書】
【提出日】平成23年2月3日(2011.2.3)
【手続補正１】
【補正対象書類名】実用新案登録請求の範囲
【補正対象項目名】全文
【補正方法】変更
【補正の内容】
【実用新案登録請求の範囲】
【請求項１】
一端に出し入れ口を、他端側に襠部を形成した衣料用の包装袋において、包装袋の襠部形成側外部にハンガーを収納する扁平袋状のハンガー収納部を一体に形成するとともに、該ハンガー収納部に、ハンガー収納部内に収納したハンガーのフック部を引き出すためのフック部挿通孔を形成したことを特徴とする吊垂陳列可能な衣料用包装袋。
【請求項２】
ハンガー収納部を、帯状のハンガー収納部形成片をその両端部の一部が重なるようにして扁平な袋状に折り曲げ、その一部を包装袋側と接着して一体として形成したことを特徴とする請求項１記載の吊垂陳列可能な衣料用包装袋。
【請求項３】
フック部挿通孔をスリット状に形成したことを特徴とする請求項１又は２記載の吊垂陳列可能な衣料用包装袋。
【手続補正２】
【補正対象書類名】明細書
【補正対象項目名】０００８
【補正方法】変更
【補正の内容】
【０００８】
また、上記目的を達成するため、本考案の吊垂陳列可能な衣料用包装袋は、一端に出し入れ口を、他端側に襠部を形成した衣料用の包装袋において、包装袋の襠部形成側外部にハンガーを収納する扁平袋状のハンガー収納部を一体に形成するとともに、該ハンガー収納部に、ハンガー収納部内に収納したハンガーのフック部を引き出すためのフック部挿通孔を形成したことを特徴とする。
【手続補正３】
【補正対象書類名】明細書
【補正対象項目名】００１０
【補正方法】変更
【補正の内容】
【００１０】
また、フック部挿通孔をスリット状に形成することができる。
【手続補正４】
【補正対象書類名】明細書
【補正対象項目名】００１１
【補正方法】変更
【補正の内容】
【００１１】
本考案の吊垂陳列可能な衣料用包装袋によれば、一端に出し入れ口を、他端側に襠部を形成した衣料用の包装袋において、包装袋の襠部形成側外部にハンガーを収納する扁平袋状のハンガー収納部を一体に形成するとともに、該ハンガー収納部に、ハンガー収納部内に収納したハンガーのフック部を引き出すためのフック部挿通孔を形成することにより、ハンガーを包装袋の一部に嵩張らないようにして収納可能に設けることができ、該ハンガーを必要に応じて容易に引き出すことにより衣料品を吊垂して陳列展示できるため、顧客が簡易に収納衣料品の確認を目視により簡易に、確実に行うことができる。
【手続補正５】
【補正対象書類名】明細書
【補正対象項目名】００１３
【補正方法】変更
【補正の内容】
【００１３】
また、フック部挿通孔をスリット状に形成することにより、ハンガーの引き出しが簡易に、迅速に行うことができる。